(57)【要約】  【課題】携帯機器を安定して保持し、落下を防止しつつ、指または手を保持する保持部材を簡単に交換することができる利便性の高い携帯機器保持具を提供する。  【解決手段】携帯機器保持具は、携帯機器に装着可能なケース本体部と、ケース本体部の外面に設けられた複数のフックと、フックに着脱可能に取り付けられる伸縮性を有する取付部材とを備える。【選択図】図１
2020021993.tif 000002
【特許請求の範囲】
【請求項１】
携帯機器に装着可能なケース本体部と、
前記ケース本体部の外面に設けられた複数のフックと、
前記フックに着脱可能に取り付けられる伸縮性を有する取付部材と、
を備える携帯機器保持具。
【請求項２】
請求項１に記載の携帯機器保持具であって、
前記フックは、前記ケース本体部の端部に向かって開放された開口部を有する
ことを特徴とする携帯機器保持具。
【請求項３】
請求項１に記載の携帯機器保持具であって、
前記フックは、前記ケース本体部と反対側に滑り止めを有する
ことを特徴とする携帯機器保持具。
【請求項４】
請求項１に記載の携帯機器保持具であって、
前記ケース本体部は、略長方形の平面部を有し、
前記フックは、前記ケース本体部の前記平面部の前記外面の各角付近に設けられている
ことを特徴とする携帯機器保持具。
【請求項５】
請求項１に記載の携帯機器保持具であって、
前記ケース本体部の外面に滑り止め部を備える
ことを特徴とする携帯機器保持具。
【請求項６】
請求項１に記載の携帯機器保持具であって、
前記取付部材は、網状である
ことを特徴とする携帯機器保持具。
【請求項７】
請求項１に記載の携帯機器保持具であって、
前記取付部材は、平面状である
ことを特徴とする携帯機器保持具。
【請求項８】
請求項１に記載の携帯機器保持具であって、
前記取付部材は、一部に外部装置に着脱可能なアタッチメントを備えている
ことを特徴とする携帯機器保持具。
【発明の詳細な説明】
【技術分野】
【０００１】
本発明は、携帯機器保持具に関する。
【背景技術】
【０００２】
スマートフォン等の携帯機器を使用する際は、専用のケース等を被せて用いることが多い。携帯機器を安定して保持し落下を防止するため、専用のケースには、指または手を挿し込んで携帯機器を保持するものがある。
【０００３】
特許文献１には、ケース体に保持バンドが嵌装された携帯機器用ケースが記載されている。
【先行技術文献】
【特許文献】
【０００４】
【特許文献１】特開２０１２−１５１７７０号公報
【発明の概要】
【発明が解決しようとする課題】
【０００５】
特許文献１のような携帯機器用のケースは、ケース本体部に保持部材が一体的に取り付けられているものが多く、保持部材部分が汚れたり破損したりした場合に、保持部材のみを取り換えることができなかった。
【０００６】
本発明の目的は、携帯機器を安定して保持し、落下を防止しつつ、指または手を保持する保持部材を簡単に交換することができる利便性の高い携帯機器保持具を提供することにある。
【課題を解決するための手段】
【０００７】
本発明は、上記課題の少なくとも１つを解決するものであるが、その例を挙げるならば、次の通りである。すなわち、本発明の一態様である携帯機器保持具は、携帯機器に装着可能なケース本体部と、ケース本体部の外面に設けられた複数のフックと、フックに着脱可能に取り付けられる伸縮性を有する取付部材とを備える。
【０００８】
フックは、ケース本体部の端部に向かって開放された開口部を有していてもよい。
【０００９】
フックは、ケース本体部と反対側に滑り止めを有していてもよい。
【００１０】
ケース本体部は、略長方形の平面部を有し、フックは、ケース本体部の平面部の外面の各角付近に設けられていてもよい。
【００１１】
ケース本体部の外面に滑り止め部を備えていてもよい。
【００１２】
取付部材は、網状であってもよい。
【００１３】
取付部材は、平面状であってもよい。
【００１４】
取付部材は、一部に外部装置に着脱可能なアタッチメントを備えていてもよい。
【発明の効果】
【００１５】
本発明によれば、指または手を保持する保持部材を簡単に交換することができる利便性の高い携帯機器保持具を提供することができる。
【図面の簡単な説明】
【００１６】
【図１】本実施形態に係る携帯機器保持具の概略構成例を示す図である。
【図２】本実施形態に係る携帯機器保持具の概略構成例を示す図である。
【図３】本実施形態に係る携帯機器保持具のフックの拡大図である。
【図４】本実施形態に係る携帯機器保持具の使用方法の一例を示す図である。
【図５】本実施形態の変形例に係る携帯機器保持具の概略構成例を示す図である。
【図６】本実施形態の変形例に係る携帯機器保持具の使用方法の一例を示す図である。
【図７】本実施形態の変形例に係る携帯機器保持具の概略構成例を示す図である。
【図８】本実施形態の変形例に係る携帯機器保持具の概略構成例を示す図である。
【図９】本実施形態の変形例に係る携帯機器保持具の概略構成例を示す図である。
【発明を実施するための形態】
【００１７】
本発明の実施形態の例について、以下、図に基づいて説明する。
【００１８】
図１および図２は、本実施形態に係る携帯機器保持具１の概略構成例を示す図である。図１（ａ）は、ケース本体部１０の正面図、図１（ｂ）は、ケース本体部１０の右側面図、図２（ａ）は、ケース本体部１０に取付部材３０を取り付けた状態の正面図、図２（ｂ）は、ケース本体部１０に取付部材３０を取り付けた状態の右側面図である。
【００１９】
携帯機器保持具１は、ケース本体部１０と、複数のフック２０と、取付部材３０とを備える。ケース本体部１０と取付部材３０の間にできる隙間２に指または手を挿入して使用する。取付部材３０は、指または手を保持する働きをすることから、保持部材ということもできる。
【００２０】
ケース本体部１０は、スマートフォン、タブレット端末等の携帯機器の背面に装着可能に形成される。ケース本体部１０の構造は、携帯機器の機能を損なわないものであれば、特に限定されない。本実施形態では、ケース本体部１０は、プラスチック等の合成樹脂から成る。ケース本体部１０は、一面に開口部分を有する略直方体の箱状をしており、略長方形の平面部と平面部の四辺から直角に延びる側面部とから形成されている。ケース本体部１０の平面部が携帯機器の背面に対面し、側面部が携帯機器の側面に接するようにして取り付けられる。ケース本体部１０は、携帯機器の外部との接続部が遮蔽されないように、側面部の一部が開けられている。また、ケース本体部１０の平面部は、カメラレンズに対応する箇所に開口部を有している。
【００２１】
複数のフック２０は、ケース本体部１０の平面部で携帯機器の背面に装着する内面側と反対の外面側に、互いに間隔を空けて設けられる。具体的には、各フック２０は、ケース本体部１０の平面部の略長方形の各角付近に設けられる。本実施形態では、フック２０は４つ設けられるが、複数設けられていれば、４つより多くても少なくてもよい。
【００２２】
フック２０は、後述する開口部２５を有し、開口部２５がケース本体部１０の端部に向かって開放されるように、配置される。具体的には、各フック２０の開口部２５は、ケース本体部１０の各角方向に向かって開放されている。
【００２３】
フック２０は、ケース本体部１０の外面側に固定されている。固定の方法は、フック２０がケース本体部１０から外れなければ限定されない。フック２０は、例えば、接着剤により、固着される。あるいは、フック２０は、ケース本体部１０と一体成形されていてもよい。
【００２４】
取付部材３０は、フック２０に引っ掛けて使用される。取付部材３０は、伸縮性を有する部材から構成される。伸縮性（弾性）を有していればどのような部材であってもよいが、例えば、ゴム、スパンデックス（ポリウレタン弾性繊維）、ナイロン等から成る。本実施形態では、取付部材３０は、ひも状ゴムを編んで形成された略長方形の網状をしている。
【００２５】
取付部材３０の外周長は、各フック２０と取付部材３０が接する当接点を繋いで形成される略四角形の仮想平面Ｐ（図１）の外周長より短く形成される。取付部材３０は伸縮性を有しているため、引き伸ばして各フック２０に引っ掛けた状態では元の形に縮もうとする復元力が働き、取付部材３０が各フック２０から外れにくくなる。
【００２６】
図３は、本実施形態に係る携帯機器保持具１のフック２０の拡大図である。図３（ａ）は、フック２０の斜視図、図３（ｂ）は、フック２０の正面図、図３（ｃ）は、フック２０の左側面図、図３（ｄ）は、フック２０の右側面図、図３（ｅ）は、フック２０の平面図、図３（ｆ）は、フック２０の側面図である。なお、フック２０の背面図は、正面図と対称につき省略してある。
【００２７】
フック２０は、台座部２１、湾曲部２２、先端部２３、および滑り止め２４から構成される。
【００２８】
台座部２１は、ケース本体部１０に接着される板状の部材から形成される。湾曲部２２は、台座部２１の一端部近傍から上に延びて他端部に向けて湾曲するように形成される。先端部２３は、板状の部材が湾曲部２２から斜め上に延びて形成される。すなわち、先端部２３は、湾曲部２２から外側に台座部２１から離れる方向に延びている。正面図（図２（ｂ））に示すように、先端部２３と湾曲部２２の接続部分は、Ｖ字形状をしている。また、先端部２３の末端は、台座部２１の他端部の端面の延長線上に位置している。そして、台座部２１と湾曲部２２により形成される空間が閉空間とならないように、湾曲部２２と先端部２３の接続部分と台座部２１との間には、開口部２５が設けられている。滑り止め２４は、ケース本体部１０と反対側に位置する湾曲部２２の頂部に設けられており、ゴム材等から成る。台座部２１、湾曲部２２および先端部２３は、一体的に形成される。滑り止め２４は、湾曲部２２に接着等により固定される。
【００２９】
取付部材３０の外周部の一部を開口部２５から台座部２１と湾曲部２２が形成する空間に入れると、取付部材３０がフック２０に引っ掛かる。上述したとおり、取付部材３０の外周長は各フック２０により形成される仮想平面Ｐの外周長より短いため、４つのフック２０に取付部材３０が引っ掛けられると、取付部材３０には元の形に戻ろうとする力が働き、取付部材３０の中心方向に向かってフック２０が引っ張られる。
【００３０】
開口部２５は、ケース本体部１０の略角方向、すなわち外側に向かって開放しており、フック２０がケース本体部１０の中心方向に引っ張られても、取付部材３０が外れることはない。フック２０に引っ掛けられた取付部材３０の端部は、湾曲部２２の内周曲面に沿って移動し、台座部２１の高さの少し上（当接点）で停止する。そのため、図２に示すように、ケース本体部１０と取付部材３０の間に隙間２が構成される。
【００３１】
使用者は隙間２に指または手を挿入して使用する。指または手が取付部材３０の弾性力により押さえつけられ、隙間２から抜けにくくなる。よって、安定して携帯機器を保持することができる。
【００３２】
取付部材３０を付け替える場合は、フック２０に引っ掛けられている取付部材３０の一部を開口部２５から引き出して外す。取付部材３０は、一部分を引っ張るだけで簡易にフック２０から取り外すことができる。
【００３３】
図４は、本実施形態に係る携帯機器保持具１の使用方法の一例を示す図である。
【００３４】
携帯機器に取り付けた携帯機器保持具１を机等の平面に、ケース本体部１０が対向するように置く。フック２０の滑り止め２４が机等の載置面と接するので、携帯機器保持具１が滑り難くなる。また、フック２０の高さの分だけ携帯機器保持具１が載置面から浮き机と携帯機器保持具１の間に隙間ができるので、携帯機器保持具１を手に取りやすくなる。
【００３５】
また、携帯機器保持具１が載置面から位置ずれしにくいので、携帯機器が滑って移動する恐れがなく、載置面に置いたままで携帯機器を操作することができる。
【００３６】
本実施形態の携帯機器保持具１によれば、携帯機器を安定して保持し、落下を防止しつつ、簡単に指または手を保持する保持部材を交換することができる利便性の高い携帯機器保持具を提供することができる。取付部材３０は、取付、取外しが簡易で、使用者が好みのものを選んで取り付けることができる。また、取付部材３０は取り外すことができるので、汚れた場合に洗うこともできて便利である。さらに、ケース本体部１０と取付部材３０の間に少なくとも台座部２１の高さ分の隙間２が形成されるため、指や手の挿入が容易である。また、スマートフォンより大きなタブレット端末の場合でも、片手で安定して保持できるので立ったまま使用する場合に便利である。さらに、取付部材３０は網状のため、ケース本体部１０の側面から隙間２に指を挿入するだけでなく、網目に指を引っ掛けて携帯機器を持ち上げて掴むこともできる。
【００３７】
図５は、本実施形態の変形例に係る携帯機器保持具１ａの概略構成例を示す図である。図５（ａ）は、携帯機器保持具１ａの正面図、図５（ｂ）は、携帯機器保持具１ａの右側面図である。
【００３８】
図５に示すように、ケース本体部１０の背面には、フック２０より内側に滑り止め部１１が設けられている。滑り止め部１１は、手が滑りにくい部材であれば特に限定されないが、例えば、ゴム、シリコン樹脂（ケイ素樹脂）などから成る。
【００３９】
滑り止め部１１は、ケース本体部１０の中央付近に複数並べて配置される。本実施形態では、滑り止め部１１は、略長方形の４つの小片がケース本体部１０の中央を避けて隙間ができるように等間隔に配列されている。このように配列すると、隣り合う滑り止め部１１の間に凹み部１２が形成される。
【００４０】
隙間２に指または手を挿入すると、指または手の関節や皮膚が凹み部１２に嵌ってずれ難くなる。また、指または手が滑り止め部１１に接し、滑り難くなる。よって、指または手が隙間２からより抜けにくくなり、安定して携帯機器を保持することができる。
【００４１】
図６は、本実施形態の変形例に係る携帯機器保持具１ａの使用方法の一例を示す図である。図６に示すように、隙間２にイヤホン等、携帯機器と共に使用するアクセサリを挿入することもできる。アクセサリは、一部が凹み部１２に嵌りずれ難くなる。また、アクセサリの他の部分は滑り止め部１１との摩擦によってずれ難くなる。さらに、アクセサリは、取付部材３０の押圧によってケース本体部１０に押さえつけられるので、落下を防止できる。したがって、アクセサリの持ち運びが容易になる。
【００４２】
滑り止め部１１は、１つで配置されていてもよいし、長方形以外の多角形や円形であってもよい。ケース本体部１０を横断するように配置されていてもよいし、４つのフック２０が形成する仮想平面内に収まるように配置されていてもよい。また、凹み部１２は形成されなくてもよい。隙間２に挿入されるのは、アクセサリだけでなく、鍵やＩＣカードなど他の物品であってもよい。
【００４３】
もちろん、図１に示すように滑り止め部１１が設けられていない場合でも、アクセサリ等を挿入することもできる。
【００４４】
図７は、本実施形態の変形例に係る携帯機器保持具１ｂの概略構成例を示す図である。図７（ａ）は、携帯機器保持具１ｂの正面図、図７（ｂ）は、携帯機器保持具１ｂの右側面図である。
【００４５】
図７（ａ）に示すように、携帯機器保持具１ｂは、取付部材３０に替えて取付部材３０ｂを備える。取付部材３０ｂは、平面状をしている。具体的には、取付部材３０ｂの外周は、ひも状ゴムから構成されている。さらに、取付部材３０ｂは、ひも状ゴムのフック２０に引っ掛ける箇所を残して、ひも状ゴムに接続された面状の伸縮部材を備える。取付部材３０ｂは、ひも状ゴムを用いずに、面状の伸縮部材に切り込みを設けてフック２０に引っ掛けるものであってもよい。
【００４６】
平面状の取付部材３０ｂをケース本体部１０に用いると、取付部材３０のような網状では網目から落ちる恐れのある大きさの物品でも収納することができる。
【００４７】
図８は、本実施形態の変形例に係る携帯機器保持具１ｃの概略構成例を示す図である。携帯機器保持具１ｃは、取付部材３０に替えて取付部材３０ｃを備える。取付部材３０ｃは、ひも状ゴムと、外部装置（例えば、カーナビ、スタンド、ホルダーなど）に着脱可能なアタッチメント３１と、から構成される。ひも状ゴムは、アタッチメント３１に接続されている。
【００４８】
例えば、アタッチメント３１は、携帯機器を立て掛けるスタンドにセットできるものである。ひも状ゴムをフック２０に引っ掛けて、アタッチメント３１をスタンドに装着すれば、携帯機器を立て掛けた状態で机やダッシュボードに置くことができる。
【００４９】
ひも状ゴムは、アタッチメント３１をフック２０に固定するすることができれば、どのようにアタッチメント３１に繋がっていてもよい。例えば、アタッチメント３１が略四角形の場合は、四隅にそれぞれひも状ゴムが取り付けられてもよい。
【００５０】
なお、アタッチメント３１には、滑り止め部１１が設けられていなくてもよい。
【００５１】
図９は、本実施形態の変形例に係る携帯機器保持具１ｄの概略構成例を示す図である。携帯機器保持具１ｄは、取付部材３０に替えて取付部材３０ｄを備える。取付部材３０ｄは、ひも状ゴムと、ストラップ取付部３２と、から構成される。ストラップ取付部３２は、ひも状ゴムに接続されている。ストラップ取付部３２には、ストラップを取り付けることができる。
【００５２】
輪状のひも状ゴムをフック２０に引っ掛ければ、ストラップを首や手首にかけたりカバンに取り付けたりして携帯機器を持ち運ぶことができる。
【００５３】
このように、取付部材３０、３０ｂ〜ｄを交換すれば、指または手やアクセサリ等を保持したり、アタッチメント等を取り付けたりするなど、様々な方法で使用できる。
【００５４】
以上、本発明の実施形態及びその変形例を説明したが、上記に記載した実施形態及びその変形例は特許請求の範囲に係る発明を限定するものではない。各実施形態及びその変形例は、それぞれの特徴を組み合わせることができる。上記のいずれかの携帯機器保持具が、他の携帯機器保持具の特徴を併せ持つものであってもよい。また、実施形態及びその変形例の中で説明した特徴の組み合わせの全てが発明の課題を解決するための手段に必須であるとは限らない点に留意すべきである。
【符号の説明】
【００５５】
１，１ａ，１ｂ，１ｃ，１ｄ：携帯機器保持具
２：隙間
１０：ケース本体部
１１：滑り止め部
１２：凹み部
２０：フック
２１：台座部
２２：湾曲部
２３：先端部
２４：滑り止め
２５：開口部
３０，３０ｂ，３０ｃ，３０ｄ：取付部材
３１：アタッチメント
３２：ストラップ取付部
【図１】
2020021993.tif 000003
【図２】
2020021993.tif 000004
【図３】
2020021993.tif 000005
【図４】
2020021993.tif 000006
【図５】
2020021993.tif 000007
【図６】
2020021993.tif 000008
【図７】
2020021993.tif 000009
【図８】
2020021993.tif 000010
【図９】
2020021993.tif 000011
【手続補正書】
【提出日】平成31年1月10日(2019.1.10)
【手続補正１】
【補正対象書類名】特許請求の範囲
【補正対象項目名】全文
【補正方法】変更
【補正の内容】
【特許請求の範囲】
【請求項１】
携帯機器に装着可能なケース本体部と、
前記ケース本体部の外面に設けられた４つのフックと、
前記フックに着脱可能に取り付けられる伸縮性を有する取付部材と、
を備え、
前記ケース本体部は、略長方形の平面部と側面部を有し、
前記各フックは、前記平面部の各角付近に設けられ、
前記各フックに取り付けられた前記取付部材は、前記平面部と略同形状である
ことを特徴とする携帯機器保持具。
【請求項２】
請求項１に記載の携帯機器保持具であって、
前記各フックは、前記平面部の端部に向かって開放された開口部を有する
ことを特徴とする携帯機器保持具。
【請求項３】
請求項１に記載の携帯機器保持具であって、
前記平面部の外面に滑り止め部を備える
ことを特徴とする携帯機器保持具。
【請求項４】
請求項１に記載の携帯機器保持具であって、
前記取付部材は、網状である
ことを特徴とする携帯機器保持具。
【請求項５】
請求項１に記載の携帯機器保持具であって、
前記取付部材は、平面状である
ことを特徴とする携帯機器保持具。
【請求項６】
携帯機器に装着可能なケース本体部と、
前記ケース本体部の外面に設けられた複数のフックと、
前記フックに着脱可能に取り付けられる伸縮性を有する取付部材と、
を備え、
前記フックは、前記ケース本体部と反対側に滑り止めを有する
ことを特徴とする携帯機器保持具。
【請求項７】
携帯機器に装着可能なケース本体部と、
前記ケース本体部の外面に設けられた複数のフックと、
前記フックに着脱可能に取り付けられる伸縮性を有する取付部材と、
を備え、
前記取付部材は、一部に外部の装置またはアタッチメントに着脱可能なアタッチメントを備えている
ことを特徴とする携帯機器保持具。
【請求項８】
請求項１〜５のいずれか一項に記載の携帯機器保持具であって、
前記各フックが載置面に接した状態で、前記平面部と前記載置面との間に隙間がある
ことを特徴とする携帯機器保持具。
【手続補正書】
【提出日】平成31年4月4日(2019.4.4)
【手続補正１】
【補正対象書類名】特許請求の範囲
【補正対象項目名】全文
【補正方法】変更
【補正の内容】
【特許請求の範囲】
【請求項１】
携帯機器に装着可能なケース本体部と、
前記ケース本体部の外面に設けられた４つのフックと、
前記フックに着脱可能に取り付けられる伸縮性を有する取付部材と、
を備え、
前記ケース本体部は、略長方形の平面部と側面部を有し、
前記各フックは、前記平面部の各角付近に設けられ、
前記各フックに取り付けられた前記取付部材は、前記平面部と略同形状である
ことを特徴とする携帯機器保持具。
【請求項２】
請求項１に記載の携帯機器保持具であって、
前記各フックは、前記平面部の端部に向かって開放された開口部を有する
ことを特徴とする携帯機器保持具。
【請求項３】
請求項１に記載の携帯機器保持具であって、
前記平面部の外面に滑り止め部を備える
ことを特徴とする携帯機器保持具。
【請求項４】
請求項１に記載の携帯機器保持具であって、
前記取付部材は、網状である
ことを特徴とする携帯機器保持具。
【請求項５】
請求項１に記載の携帯機器保持具であって、
前記取付部材は、平面状である
ことを特徴とする携帯機器保持具。
【請求項６】
携帯機器に装着可能なケース本体部と、
前記ケース本体部の外面に設けられた複数のフックと、
前記フックに着脱可能に取り付けられる伸縮性を有する取付部材と、
を備え、
前記フックは、前記ケース本体部と反対側に滑り止めを有する
ことを特徴とする携帯機器保持具。
【請求項７】
携帯機器に装着可能なケース本体部と、
前記ケース本体部の外面に設けられた複数のフックと、
前記フックに着脱可能に取り付けられる伸縮性を有する取付部材と、
を備え、
前記取付部材は、一部に外部装置に着脱可能なアタッチメントを備えている
ことを特徴とする携帯機器保持具。
【請求項８】
請求項１〜５のいずれか一項に記載の携帯機器保持具であって、
前記各フックが載置面に接した状態で、前記平面部と前記載置面との間に隙間がある
ことを特徴とする携帯機器保持具。